【手続補正書】
【提出日】平成18年8月11日(2006.8.11)
【手続補正１】
【補正対象書類名】明細書
【補正対象項目名】特許請求の範囲
【補正方法】変更
【補正の内容】
【特許請求の範囲】
【請求項１】  レンズ装置本体と通信可能に接続されるレンズ操作装置であって、少なくとも前記レンズ装置本体に備えられたレンズ側制御手段に情報を送信してこのレンズ側制御手段に前記レンズ装置本体における可動光学素子の駆動を行わせる操作装置側制御手段と、この操作装置側制御手段が用いる制御プログラムおよび制御データのうち少なくとも一方を記憶する記憶手段とを有するレンズ操作装置において、
このレンズ操作装置に、前記操作装置側制御手段との通信により前記記憶手段の記憶内容を変更するための書き込み装置が接続されたか否かを検出し、前記書き込み装置が接続されたことを検出したときに前記操作装置側制御手段を前記記憶手段の記憶内容の書き換えが可能な状態に設定する状態設定手段を有することを特徴とするレンズ操作装置。
【請求項２】  前記操作装置側制御手段は、前記記憶手段の記憶内容を書き換え可能な状態に設定するための信号レベルに設定可能な状態設定ポートを有しており、
前記状態設定手段は、このレンズ操作装置に前記書き込み装置が接続されたことを検出したときに、前記書き込み装置から入力されて前記状態設定ポートを前記信号レベルに設定するための書き込み状態設定信号を前記状態設定ポートに供給することを特徴とする請求項１に記載のレンズ操作装置。
【請求項３】  前記状態設定手段は、このレンズ操作装置に前記書き込み装置が接続されたことを検出したときに、前記操作装置側制御手段を前記記憶手段の記憶内容の書き換えが可能な状態に設定するとともに、前記操作装置側制御手段に前記記憶手段の記憶内容を消去させるための消去信号を供給することを特徴とする請求項１又は２に記載のレンズ操作装置。
【請求項４】  前記状態設定手段は、このレンズ操作装置に設けられた接続検出用端子に入力される電圧値に応じて、このレンズ操作装置に前記書き込み装置が接続されているか否かを検出することを特徴とする請求項１から３のいずれか１つに記載のレンズ操作装置。
【請求項５】  前記状態設定手段は、このレンズ操作装置が前記レンズ装置本体に接続されたか否かを検出可能であり、前記レンズ装置本体に接続されたことを検出したときに、前記状態設定ポートを前記信号レベルとは異なる信号レベルに設定する動作を行うことを特徴とする請求項２から４のいずれか１つに記載のレンズ操作装置。
【請求項６】  前記操作装置側制御手段は、前記レンズ装置本体に電気的に接続される端子を用いて前記書き込み装置との電気的接続を行うことを特徴とする請求項１から５のいずれか１つに記載のレンズ操作装置。
【請求項７】  前記書き込み装置が、
書き込み装置本体と、
この書き込み装置本体に動作電源を供給する電源手段を備えるとともに前記書き込み装置本体をレンズ操作装置に接続する中間接続手段とを有して構成されており、
前記電源手段から前記中間接続手段を介して動作電源の供給を受けることを特徴とする請求項１から６のいずれか１つに記載のレンズ操作装置。
【請求項８】  前記電源手段から供給される動作電源を用いて、この動作電源を監視するための監視信号を生成し、この監視信号を前記中間接続手段を介して前記書き込み装置本体に供給する監視信号供給手段を有することを特徴とする請求項７に記載のレンズ操作装置。
【請求項９】  前記状態設定手段は、このレンズ操作装置に前記書き込み装置が接続されたことを検出したときに、前記監視信号供給手段を、前記書き込み装置に対して前記監視信号を出力可能な状態に設定することを特徴とする請求項８に記載のレンズ操作装置。
【請求項１０】  前記書き込み装置が、
書き込み装置本体と、
この書き込み装置本体に動作電源を供給する電源手段を備えるとともに前記書き込み装置本体をレンズ操作装置に接続する中間接続手段とを有して構成されており、
前記状態設定手段は、前記中間接続手段を介した前記電源手段からの電圧値に応じて、このレンズ操作装置に前記書き込み装置が接続されているか否かを検出することを特徴とする請求項４に記載のレンズ操作装置。
【請求項１１】  請求項１から１０のいずれか１つに記載のレンズ操作装置と、このレンズ操作装置が接続されるレンズ装置本体とから構成されることを特徴とするレンズ装置。
【請求項１２】  少なくともレンズ装置本体に備えられたレンズ側制御手段に情報を送信してこのレンズ側制御手段に前記レンズ装置本体における可動光学素子の駆動を行わせる操作装置側制御手段と、この操作装置側制御手段が用いる制御プログラムおよび制御データのうち少なくとも一方を記憶する記憶手段とを有するレンズ操作装置に通信可能に接続され、前記操作装置側制御手段との通信により前記記憶手段の記憶内容を変更するための書き込み装置において、
書き込み装置本体と、この書き込み装置本体を前記レンズ操作装置に接続させる中間接続手段とを有して構成され、
前記中間接続手段は、前記レンズ操作装置に動作電源を供給する電源手段を備えていることを特徴とする書き込み装置。
【請求項１３】  前記中間接続手段は、前記電源手段から供給される電源を用いて、この電源を監視するための監視信号を生成し、この監視信号を前記書き込み装置本体に供給する監視信号供給手段を有することを特徴とする請求項１２に記載の書き込み装置。
【請求項１４】  前記中間接続手段は、前記電源手段から前記レンズ操作装置に動作電源を送るとともに、前記レンズ操作装置にて前記動作電源を用いて生成され、電源を監視するための監視信号を前記書き込み装置本体に供給することを特徴とする請求項１２に記載の書き込み装置。
【請求項１５】  前記電源手段は、この書き込み装置が接続されたことを前記レンズ操作装置に検出させるための信号を、前記レンズ操作装置に供給することを特徴とする請求項１２から１４のいずれか１つに記載の書き込み装置。
【手続補正２】
【補正対象書類名】明細書
【補正対象項目名】０００４
【補正方法】変更
【補正の内容】
【０００４】
２０７はテレビレンズ本体である。２０８は、テレビレンズ本体２０７内のＣＰＵ（レンズ側ＣＰＵ）である。２０９はテレビレンズ本体２０７内の信号ラインである。
【手続補正３】
【補正対象書類名】明細書
【補正対象項目名】０００６
【補正方法】変更
【補正の内容】
【０００６】
２２２はデマンド本体２０１内のＣＰＵ（デマンド側ＣＰＵ）であり、一度だけ制御プログラムや制御データを書き込めるＲＯＭ（図示せず）を内蔵している。このデマンド側ＣＰＵ２２２は、シリアル受信信号ラインＳ２，シリアル送信信号ラインＳ３およびデマンドケーブル２０６を介して、テレビレンズ２０７（レンズ側ＣＰＵ２０８）とシリアル通信を行い、例えば、レンズ側ＣＰＵ２０８からの情報要求に応答して、テレビレンズ２０７内の可動光学素子（フォーカスレンズ、ズームレンズ、絞り装置等）を制御する情報を生成し、レンズ側ＣＰＵ２０８に送信する。レンズ側ＣＰＵ２０８は、デマンド側ＣＰＵ２２２から受信した情報に基づいて可動光学素子を駆動する。
【手続補正４】
【補正対象書類名】明細書
【補正対象項目名】０００８
【補正方法】変更
【補正の内容】
【０００８】
ところで、デマンド側ＣＰＵ２２２は、操作ノブ２２４の操作に応じた情報を、デマンド側ＣＰＵ２２２内のＲＯＭに記憶された制御プログラムや制御データを用いて演算等により生成してレンズ側ＣＰＵ２０８に送信するが、例えば、操作ノブ２２４の操作量に対する可動光学素子の動作量や動作敏感度を操作者の好み等に合わせて補正するために、制御プログラムや制御データを変更する必要が生ずる場合がある。
【手続補正５】
【補正対象書類名】明細書
【補正対象項目名】０００９
【補正方法】変更
【補正の内容】
【０００９】
【発明が解決しようとする課題】
しかしながら、従来のデマンドでは、一度だけ制御プログラムや制御データを書き込むことができるＲＯＭを記憶手段として用いているため、制御プログラムや制御データの書き換えを行うことはできない。
【手続補正６】
【補正対象書類名】明細書
【補正対象項目名】００１４
【補正方法】変更
【補正の内容】
【００１４】
【課題を解決するための手段】
上記の目的を達成するために 本願第１の発明では、レンズ装置本体と通信可能に接続されるレンズ操作装置であって、少なくともレンズ装置本体に備えられたレンズ側制御手段に情報を送信してこのレンズ側制御手段にレンズ装置本体における可動光学素子の駆動を行わせる操作装置側制御手段と、この操作装置側制御手段が用いる制御プログラムおよび制御データのうち少なくとも一方を記憶する記憶手段とを有するレンズ操作装置において、このレンズ操作装置に操作装置側制御手段との通信により記憶手段の記憶内容を変更するための書き込み装置が接続されたか否かを検出し、書き込み装置が接続されたことを検出したときに操作装置側制御手段を記憶手段の記憶内容の書き換えが可能な状態に設定する状態設定手段を設けている。
【手続補正７】
【補正対象書類名】明細書
【補正対象項目名】００１９
【補正方法】変更
【補正の内容】
【００１９】
また、本願第３の発明では、少なくともレンズ装置本体に備えられたレンズ側制御手段に情報を送信してこのレンズ側制御手段にレンズ装置本体における可動光学素子の駆動を行わせる操作装置側制御手段と、この操作装置側制御手段が用いる制御プログラムおよび制御データのうち少なくとも一方を記憶する記憶手段とを有するレンズ操作装置に通信可能に接続され、操作装置側制御手段との通信により記憶手段の記憶内容を変更するための書き込み装置において、この書き込み装置を、書き込み装置本体と、この書き込み装置本体をレンズ操作装置に接続させる中間接続手段とを有する構成とした上で、中間接続手段に、レンズ操作装置に動作電源を供給する電源手段を設けている。
【手続補正８】
【補正対象書類名】明細書
【補正対象項目名】００６１
【補正方法】変更
【補正の内容】
【００６１】
２８はテレビレンズ接続用のコネクタ５とは別に設けられた、書き込み装置接続専用のコネクタである。また、２９はコネクタ２８と書き込み装置本体１６のコネクタ１９とに接続され、デマンド本体１′の信号ラインＳ４〜Ｓ８と書き込み装置本体１６の信号ラインＳ２０〜Ｓ２５とを接続する中間ケーブルである。
【手続補正９】
【補正対象書類名】明細書
【補正対象項目名】００６３
【補正方法】変更
【補正の内容】
【００６３】
以下、本実施形態のデマンド側ＣＰＵ２′の動作について、図８のフローチャートを用いて説明する。
【手続補正１０】
【補正対象書類名】明細書
【補正対象項目名】００６９
【補正方法】変更
【補正の内容】
【００６９】
続いて、デマンド側ＣＰＵ２′は、消去ポートに消去信号ＲＥＳＴが入力されているか否か（消去ポートがＨＩかＬＯＷか）を判断する（ステップ１０８）。書き込み装置が接続されていない状態では、消去ポートは５Ｖに接続されプルアップ状態の記憶消去ラインＳ７によってＨＩとなっているが、書き込み装置が接続されて書き込み装置本体１６から消去信号ＲＥＳＴが入力されると、デマンド側ＣＰＵ２′の消去ポートはＬＯＷに設定されるため、デマンド側ＣＰＵ２′は、フラッシュメモリ２ａに既に記憶されている制御プログラムや制御データを消去する（ステップ１０９）。
【手続補正１１】
【補正対象書類名】図面
【補正対象項目名】図７
【補正方法】変更
【補正の内容】
【図７】
2001061085.tif 000001